(57)【要約】【課題】直立した状態を維持することを補助することができるとともに、特に、ボイストレーニング時に使用することで発声の矯正、改良を図ることができる一本歯の下駄を提供する。【解決手段】足を載置するための底板３０と、底板３０の上面側に設けられる鼻緒１０と、底板３０の下面側に設けられる一本の歯と、を有する下駄１であって、底板３０の上面の先端側において、足を底板３０に載置したときに足の指が接触する部分の少なくとも一部の範囲に、底板３０の先端に連れて底板３０の厚みが小さくなる傾斜部３３を有する。【選択図】図１
2018161307.tif 000002
【特許請求の範囲】
【請求項１】
足を載置するための台と、
前記台の上面側に設けられる鼻緒と、
前記台の下面側に設けられる一本の歯と、を有する下駄であって、
前記台の上面の先端側において、足を前記台に載置したときに足の指が接触する部分の少なくとも一部の範囲に、該台の先端に連れて該台の厚みが小さくなる傾斜部を有することを特徴とする下駄。
【請求項２】
前記歯は、前記台の短手方向に沿って設けられ、
前記台は、長手方向の長さが１５ｃｍ以下であり、
前記台の長手方向における前記歯の中点は、前記台の長手方向における前記台の中点よりも後端側であることを特徴とする請求項１に記載の下駄。
【請求項３】
前記歯は、前記台の短手方向に沿って設けられ、
前記台は、長手方向の長さが２１ｃｍ以上であり、
前記台の長手方向における前記歯の後端から前記台の後端までの長さをａとし、前記歯の前端から前記台の先端までの長さをｂとしたとき、
前記歯は、次式（１）、
ｂ＞２．５ａ      ・・・（１）
を満たす位置に設けられることを特徴とする請求項１に記載の下駄。
【請求項４】
前記傾斜部に、滑り止め部材を貼付したことを特徴とする請求項１から３までのいずれかに記載の下駄。
【請求項５】
前記台の下面側に、前記歯の前記台の長手方向における位置を調整可能な調整機構部を有することを特徴とする請求項１から４までのいずれかに記載の下駄。
【請求項６】
前記調整機構部は、
前記台の下面に形成された２本の凹部に、
前記歯に設けられた２本の凸部を嵌合させて案内するものであることを特徴とする請求項５に記載の下駄。
【発明の詳細な説明】
【技術分野】
【０００１】
本発明は、下駄に関する。さらに詳述すると、ボイストレーニング時の使用に適した一本歯の下駄に関する。
【背景技術】
【０００２】
一般に下駄は、足を載せるための台（底板、台板ともいう）と、台の上面に設けられた鼻緒と、台の下面側に設けられた２本の歯を有する履物である。
【０００３】
一方、台の下面側に歯を一本のみ有する一本歯の下駄が知られている。一本歯の下駄は、天狗下駄とも呼ばれており、バランスを取ることが難しいものであるが、坂道でも水平を保ちつつ歩行することができるため、古くから坂道歩行や山登りの際に用いられている。
【０００４】
近年、一本歯の下駄を履いて歩行することで、姿勢の矯正や健康促進に効果があることが知られている。例えば、特許文献１には、足を載せる台板と、台板の上面に設けられた鼻緒と、台板の下面に設けられた一本歯とを備え、一本歯が台板の前後方向の中央付近に位置し、台板の上面に足裏と３点で接触するインソールが設けられるとともに、前後のインソールの間に台板の左右方向に延びる凹部５が設けられ、かつ、一本歯の前側と後側の各位置に転倒防止用の突出部が設けられている下駄が開示されている。
【発明の概要】
【発明が解決しようとする課題】
【０００５】
特許文献１に記載の下駄は、下駄を履いた状態で静止したり、歩行したりすることで、体のバランスを保つために多くの筋肉や神経が作動して、筋肉や神経を強化、活性させることを目的としている。この特許文献１に記載の下駄は、転倒防止用の突出部が設けられていることからも明らかなように、静止した姿勢を維持することが難しい。
【０００６】
一方、本発明者らは鋭意検討した結果、バランスを取ることが難しい一本歯の下駄を履いてボイストレーニング（発声練習）を行うことで、ボイストレーニングを受ける人の発声の矯正、改良等に効果があることを知見した。しかしながら、ボイストレーニングは、原則として、直立した姿勢で行う必要があり、バランスを取ることが難しい一本歯の下駄を履いた状態で直立することが要求される。
【０００７】
しかしながら、直立した姿勢を維持することが難しい特許文献１に記載の下駄では、ボイストレーニング時の使用には適さず、これまで、ボイストレーニング時に使用することに適した一本歯の下駄は存在していなかった。
【０００８】
そこで本発明は、一本歯の下駄において直立した状態を維持することを補助することができるとともに、特に、ボイストレーニング時に使用することで発声の矯正、改良を図ることができる下駄を提供することを目的とする。
【課題を解決するための手段】
【０００９】
かかる目的を達成するため、本発明に係る下駄は、足を載置するための台と、前記台の上面側に設けられる鼻緒と、前記台の下面側に設けられる一本の歯と、を有する下駄であって、前記台の上面の先端側において、足を前記台に載置したときに足の指が接触する部分の少なくとも一部の範囲に、該台の先端に連れて該台の厚みが小さくなる傾斜部を有するものである。
【発明の効果】
【００１０】
本発明によれば、一本歯の下駄において直立した状態を維持することを補助することができるとともに、特に、ボイストレーニング時に使用することで発声の矯正、改良を図ることができる。
【図面の簡単な説明】
【００１１】
【図１】第１の実施形態に係る下駄の一例を示す平面図である。
【図２】図１に示す下駄の底面図である。
【図３】図１に示す下駄の側面図である。
【図４】図１に示す下駄の正面図である。
【図５】第１の実施形態に係る下駄の一例を示す写真である。
【図６】一足の下駄の一例を示す写真である。
【図７】第２の実施形態に係る下駄の一例を示す平面図である。
【図８】図７に示す下駄の底面図である。
【図９】図７に示す下駄の側面図である。
【図１０】第３の実施形態に係る下駄１の一例を示す底面図である。
【図１１】図１０のＡ−Ａ’断面図である。
【発明を実施するための形態】
【００１２】
以下、本発明に係る構成を図１から図１１に示す実施の形態に基づいて詳細に説明する。
【００１３】
［第１の実施形態］
第１の実施形態に係る下駄は、足を載置するための台（底板３０）と、台の上面側に設けられる鼻緒（鼻緒１０）と、台の下面側に設けられる一本の歯（歯２０）と、を有する下駄（下駄１）であって、台の上面の先端側において、足を台に載置したときに足の指が接触する部分の少なくとも一部の範囲に、該台の先端に連れて該台の厚みが小さくなる傾斜部（傾斜部３３）を有するものである。また、第１の実施形態に係る下駄は、歯は、台の短手方向に沿って設けられ、台は、長手方向の長さが１５ｃｍ以下であり、台の長手方向における歯の中点は、台の長手方向における台の中点よりも後端側であるものである。なお、括弧内は実施形態での符号、適用例を示す。
【００１４】
図１は第１の実施形態に係る下駄１の一例を示す平面図、図２は図１に示す下駄１の底面図、図３は図１に示す下駄１の側面図、図４は図１に示す下駄１の正面図である。また、図５は第１の実施形態に係る下駄１の一実施例を示す写真、図６は左右両方の下駄１の一実施例を示す写真である。
【００１５】
図１〜図４に示すように、下駄１は、足を載置するための台としての底板３０の上面側に鼻緒１０が設けられているとともに、底板３０の下面側に歯２０を一本のみ有する一本歯の下駄１である。なお、図１〜図４は、左足用の下駄１を示しているが、図６に示されるように、左足用の下駄１Ｌは、対となる右足用の下駄１Ｒとともに、一足として使用されることは勿論である。また、以下、下駄１の長手方向を長さ方向、短手方向を幅方向ともいい、使用時における足のつま先側を先端側、踵側を後端側ともいう。
【００１６】
第１の実施形態に係る下駄１は、底板３０の長さ方向での長さが一般的な下駄に比して短くなっており、鼻緒１０に足を通して足を載置したとき、足の踵側の少なくとも一部は、底板３０に載置できないようになっている。底板３０の長さ方向での長さは、例えば、１５ｃｍ以下であることが好ましい。
【００１７】
また、下駄１の底板３０、歯２０の材質としては、桐、杉などの木材を用いることが好ましいが、特に限られるものではなく、プラスチックなどの樹脂部材や軽金属を用いることもできる。また、鼻緒１０の材質としては、絹、麻などを用いることが好ましいが、特に限られるものではなく、皮革、プラスチックなどの樹脂部材などを用いることもできる。
【００１８】
以下、下駄１の各部の詳細について説明する。鼻緒１０は、足の第１指（親指）と第２指（人差し指）との間に挟まれる前紐１１と、足の上面および側面を固定する分岐紐１２と、を有している。
【００１９】
前紐１１は、底板３０の先端側に形成された前穴３１に挿通されて、底板３０の下面側において留め具１３により固定される。また、底板３０の上面側では、分岐紐１２を挿通するために輪が形成されてなり、輪に分岐紐１２が挿通される。
【００２０】
分岐紐１２は、前紐１１の輪に挿通されることで前紐１１と連結されるとともに、底板３０の後端側に形成された後穴３２ａ，３２ｂに挿通される。以下の説明では、前紐１１との連結箇所から後穴３２ａ側の分岐紐１２を分岐紐１２ａといい、前紐１１との連結箇所から後穴３２ｂ側の分岐紐１２を分岐紐１２ｂともいう。
【００２１】
分岐紐１２ａ，１２ｂは、後穴３２ａ，３２ｂにそれぞれ挿通されて、後穴３２ａ，３２ｂを挿通した分岐紐１２ａ，１２ｂは、底板３０の下面側において、その両端部が結ばれる。分岐紐１２ａ，１２ｂの下面側での結び具合を調整することにより、分岐紐１２の上面側への張り具合を調整することができ、鼻緒１０が足を抑える具合を調整することができる。なお、分岐紐１２ａ，１２ｂを底板３０の下面側において、前紐１１と同様に留め具を用いて固定するようにしてもよい。
【００２２】
下駄１の使用時には、底板３０と分岐紐１２ａの下部との間に足の第１指が挿通され、底板３０と分岐紐１２ｂの下部との間に足の第２指から第５指（小指）までが挿通されることで、足の上面および側面の少なくとも一部が固定される。
【００２３】
歯２０は、底板３０の幅方向に沿って設けられる。また、歯２０の長さ方向での中点ｃは、底板３０の長さ方向の中点よりも底板３０の後端側となる。
【００２４】
また、歯２０の底部には、図３および図４に示すように、ゴムなどからなる弾性部材２１が貼付されていることが好ましい。また、図４に示すように、弾性部材２１の幅方向の両端部が傾斜部２１ａを有するテーパー形状を有していることが好ましい。また、図３に示すように、弾性部材２１の底部２１ｂは、ギザ歯状に形成されていることが好ましい。
【００２５】
底板３０は、第１指側の先端部の角がカットされた形状を有するとともに、第２指から第５指側の先端部の角が大きくカットされた形状を有する。また、後端側の２つの角についてもカットされ丸みのある形状を有している。
【００２６】
底板３０は、図３および図５に示されるように、上面の先端側において、足を底板３０に載置したときに足の指が接触する部分の少なくとも一部の範囲に傾斜部３３を有している。傾斜部３３は、例えば、１．５ｃｍ程度の幅を有して形成される。
【００２７】
傾斜部３３は、底板３０の先端に行くに連れて底板３０の厚みが小さくなる形状を有している。傾斜部３３は、下駄１を履いた時に、足の裏の少なくとも一部が接触し、足の指を内側に曲げた時（丸めた時）に足の指の裏側で、傾斜部３３を押圧できる範囲で設けられる。
【００２８】
なお、第１の実施形態では、傾斜部３３は、断面が弧状に形成されているが（図３）、直線状に形成されるものであってもよい。また、傾斜部３３は、必ずしも底板３０の先端まで形成されている必要はなく先端側の一部の範囲に形成されているものであればよい。また、第１の実施形態では、足の第１指から第５指までの範囲に形成されているが、少なくとも足の第２指から第５指までの範囲に形成されていればよく、第１指側に形成されていないものであってもよい。
【００２９】
また、傾斜部３３には、足の指の滑りを防止するために、滑り止めのためのシート状の滑り止め部材（図示せず）を貼付することも好ましい。
【００３０】
上述のように、一本歯の下駄１は、バランスを取ることが難しく、特に、歩行時よりも立ち止まった時の方がより、バランスを取って維持することは難しい。加えて、第１の実施形態に係る下駄１は、底板３０の長さを短くして、足裏の踵側が底板３０に載置できないようになっているため、さらにバランスを取って直立することは難しくなっている。
【００３１】
これに対し、本実施形態に係る下駄１は、底板３０の先端側に傾斜部３３を形成したことで、足の指の裏側で、傾斜部３３に力をかけて握持した状態とすることを可能とし、バランスを維持して直立状態とすることを補助している。
【００３２】
また、底板３０の先端側の底部には、図３に示すように、ゴムなどからなる弾性部材３４が貼付されていることが好ましい。また、弾性部材３４の底部も、歯２０の底部の弾性部材２１と同様にギザ歯状に形成されていることが好ましい。
【００３３】
ここで、ボイストレーナーを業としている本発明者らによる鋭意検討の結果、ボイストレーニングをする際に、バランスを取ることが難しい一本歯の下駄を履いて立ったままの状態で行うことで、立っている時の姿勢が改善されて、声量の増大など、声に変化が生じることを知見した。
【００３４】
これは、一本歯であることにより、体幹部や下半身など、正しく直立した状態でいるために必要な全身の筋肉がバランス良く鍛えられ、良い姿勢へと矯正されるためである。
【００３５】
また、一本歯の歯の位置によって鍛えられる筋肉やバランスは変化するという仮定の元、本発明者らは、実験的に一本歯の下駄１の歯の位置を変更しつつ、複数の被験者に対して、その効果を確認し、その結果、「声を出しやすくする」ために必要な筋肉を鍛え、姿勢矯正を行う上で、好ましい歯の位置（表１）を得たものである。また、併せて、鼻緒１０の位置や歯２０の高さ、底板３０のサイズ等の各部の寸法を、表１に示されるような値とすることで、ボイストレーニング時の使用に最適な下駄１とするものである。なお、表１に示す寸法例は、本発明に係る下駄の一実施例であって、各部の値はこれに限られるものではないのは勿論である。
【００３６】
このボイストレーニングに好適な下駄１の寸法例について図１〜図３を参照して、表１に示す。
【００３７】
【表１】
2018161307.tif 000003
【００３８】
以上説明した第１の実施形態に係る下駄１によれば、ボイストレーニング時に使用することで発声の矯正、改良を図ることができる。このとき、下駄１の底板３０の先端側に、足の裏で押圧できる傾斜部３３を形成したことで、バランスを維持することが難しい一本歯の下駄において、立ったままの状態を維持することを可能としている。また、歯２０の位置や、各部の寸法を最適な位置とすることで、声を出すために必要な筋肉を鍛えるとともに、姿勢矯正を可能としたものである。
【００３９】
［第２の実施形態］
以下、本発明に係る下駄の他の実施形態について説明する。なお、上記実施形態と同様の点についての説明は適宜省略する。
【００４０】
第２の実施形態に係る下駄は、足を載置するための台（底板３０）と、台の上面側に設けられる鼻緒（鼻緒１０）と、台の下面側に設けられる一本の歯（歯２０）と、を有する下駄（下駄１）であって、台の上面の先端側において、足を台に載置したときに足の指が接触する部分の少なくとも一部の範囲に、該台の先端に連れて該台の厚みが小さくなる傾斜部（傾斜部３３）を有するものである。また、第２の実施形態に係る下駄は、歯は、台の短手方向に沿って設けられ、台は、長手方向の長さが２１ｃｍ以上であり、台の長手方向における歯の後端から台の後端までの長さをａとし、歯の前端から台の先端までの長さをｂとしたとき、歯は、ｂ＞２．５ａを満たす位置に設けられるものである。なお、括弧内は実施形態での符号、適用例を示す。
【００４１】
図７は第２の実施形態に係る下駄１の一例を示す平面図、図８は図７に示す下駄１の底面図、図９は図７に示す下駄１の側面図である。
【００４２】
第２の実施形態に係る下駄１は、底板３０の長さ方向での長さが一般的な下駄と同様の長さを有し、鼻緒１０に足を通して足を載置したとき、足の裏全体を底板３０に載置できるようになっている。底板３０の長さ方向での長さは、例えば、２１ｃｍ以上であることが好ましい。
【００４３】
また、歯２０は、底板３０の幅方向に沿って設けられる。歯２０の長さ方向の位置は、底板３０の後方に寄って設けられ、バランスがとりづらい位置としている。ここで、歯２０の長さ方向の位置は、歯２０の長さ方向後端から底板３０の後端までの長さをａとし、歯２０の長さ方向前端から底板３０の先端までの長さをｂとしたとき、次式（１）を満たす位置に形成されることが好ましい。
ｂ＞２．５ａ      ・・・（１）
【００４４】
上述のように、一本歯の下駄１は、バランスを取ることが難しく、特に、歩行時よりも立ち止まった時の方がより、バランスを取って維持することは難しい。加えて、第２の実施形態に係る下駄１は、底板３０の長さは通常の下駄と同様であるが、歯２０が後端側に大きく寄った位置に形成されているため、さらにバランスを取って直立することは難しくなっている。
【００４５】
これに対し、第２の実施形態に係る下駄１は、底板３０の先端側に傾斜部３３を形成したことで、足の指の裏側で、傾斜部３３に力をかけて握持した状態とすることを可能とし、バランスを維持して直立状態とすることを補助している。
【００４６】
また、第２の実施形態に係る下駄１のように、底板３０の長さは通常の下駄と同様である構成において、実験的に一本歯の下駄１の歯の位置を変更しつつ、複数の被験者に対して、その効果を確認し、その結果、「声を出しやすくする」ために必要な筋肉を鍛え、姿勢矯正を行う上で、好ましい歯の位置（表２）を得たものである。また、併せて、鼻緒１０の位置や歯２０の高さ、底板３０のサイズ等の各部の寸法を、表２に示されるような値とすることで、ボイストレーニング時の使用に最適な下駄１とするものである。なお、表２に示す寸法例は、本発明に係る下駄の一実施例であって、各部の値はこれに限られるものではないのは勿論である。
【００４７】
このボイストレーニングに好適な下駄１の寸法例について図７〜図９を参照して、表２に示す。
【００４８】
【表２】
2018161307.tif 000004
【００４９】
以上説明した第２の実施形態に係る下駄１によれば、ボイストレーニング時に使用することで発声の矯正、改良を図ることができる。特に、下駄１の底板３０の先端側に、足の裏で押圧できる傾斜部３３を形成したことで、バランスを維持することが難しい一本歯の下駄において、立ったままの状態を維持することを可能としたものである。また、歯２０の位置や、各部の寸法を最適な位置とすることで、声を出すために必要な筋肉を鍛えるとともに、姿勢矯正を可能としたものである。
【００５０】
なお、第１および第２の実施形態では、歯２０を底板３０の幅方向全域に沿って設けられる例について説明したが、必ずしも幅方向全域に歯２０が設けられていることは必要ではなく、所定の範囲であってもよい。また、歯２０の向きはこれに限られるものではなく、例えば、歯２０をスケート靴のように長さ方向に沿って設けてもよい。また、底板３０の幅方向に対して所定の傾きを有する位置に設けてもよい。
【００５１】
［第３の実施形態］
第３の実施形態に係る下駄は、足を載置するための台（底板３０）と、台の上面側に設けられる鼻緒（鼻緒１０）と、台の下面側に設けられる一本の歯（歯２０）と、を有する下駄（下駄１）であって、台の上面の先端側において、足を台に載置したときに足の指が接触する部分の少なくとも一部の範囲に、該台の先端に連れて該台の厚みが小さくなる傾斜部（傾斜部３３）を有するものである。また、第３の実施形態に係る下駄は、台の下面側に、歯の台の長手方向における位置を調整可能な調整機構部（調整機構部４０）を有するものである。なお、括弧内は実施形態での符号、適用例を示す。
【００５２】
図１０は第３の実施形態に係る下駄１の一例を示す底面図である。図１１は図１０のＡ−Ａ’断面図である。なお、図１１において鼻緒１０の図示は省略している。
【００５３】
第１及び第２の実施形態において、一本歯の下駄１を用いたボイストレーニングにおいては歯２０の位置や、各部の寸法が重要となること、および、好適な寸法例について説明した。これに加え、第３の実施形態に係る下駄１は、使用者に応じて、歯２０の位置を調整可能な調整機構部４０を備えるものである。
【００５４】
調整機構部４０は、図１０及び図１１に示すように、底板３０の下面から所定の深さで掘られることで形成された２本の凹部４１に、歯２０に設けられた２本の凸部４２を嵌合させて、凹部４１に凸部４２を案内して往復動作可能とすることで、歯２０の底板３０に対する位置を変位させるものである。なお、ここでは、凹部４１およびこれに嵌合する凸部４２を２つとしているが、凹部４１および凸部４２の形成数はこれに限られるものではない。
【００５５】
また、調整機構部４０の構成は、図１０及び図１１に示す例に限られるものではなく、歯２０の長さ方向での位置を調整可能な機構を有するものであればよい。例えば、底板３０の下面に複数の調整穴を設けるとともに、歯２０に突起部を設けておき、歯２０の突起部を差し込む穴の位置で歯２０の位置を調整するものであってもよい。
【００５６】
また、第３の実施形態では、凹部４１と凸部４２のクリアランスを極めて小さいものとして、歯２０の調整は工具などで歯２０を叩くことで歯２０の位置を調整可能としているが、凹部４１に凸部４２がスムーズに往復動作できるようにするとともに、歯２０の位置決め後に、歯２０の位置を固定するロック機構を有するものであってもよい。
【００５７】
また、第３の実施形態では、第１の実施形態の下駄１に調整機構部４０を適用した例について説明したが、第２の実施形態の下駄１に、調整機構部４０を適用してもよいのは勿論である。
【００５８】
以上説明した第３の実施形態に係る下駄１によれば、歯２０の調整を可能とすることで、さらに、使用者の一人一人に最適な歯２０の位置に調整することが可能となる。
【００５９】
尚、上述の実施形態は本発明の好適な実施の例ではあるがこれに限定されるものではなく、本発明の要旨を逸脱しない範囲において種々変形実施可能である。
【符号の説明】
【００６０】
１，１Ｌ，１Ｒ  下駄
１０  鼻緒
１１  前紐
１２（１２ａ，１２ｂ）  分岐紐
１３  留め具
２０  歯
２１  弾性部材
２１ａ  傾斜部
２１ｂ  底部
３０  底板
３１  前穴
３２ａ，３２ｂ  後穴
３３  傾斜部
３４  弾性部材
４０  調整機構部
４１  凹部
４２  凸部
【先行技術文献】
【特許文献】
【００６１】
【特許文献１】実用新案登録第３２０８０１８号公報
【図１】
2018161307.tif 000005
【図２】
2018161307.tif 000006
【図３】
2018161307.tif 000007
【図４】
2018161307.tif 000008
【図５】
2018161307.tif 000009
【図６】
2018161307.tif 000010
【図７】
2018161307.tif 000011
【図８】
2018161307.tif 000012
【図９】
2018161307.tif 000013
【図１０】
2018161307.tif 000014
【図１１】
2018161307.tif 000015